(57)【要約】【課題】比較的低コストで大気中に排出する排ガスの白煙化を防止する廃棄物燃焼排ガス処理方法と装置を提供すること。【解決手段】廃棄物燃焼排ガスを排ガス冷却器２で冷却して集じん器５で除塵した後、煙突８の入口にある排ガス混合器７で昇温させる前に、排ガスの少なくとも一部を分流して、排ガス冷却器２の出口側であって、集じん器５の前にある排ガス加熱器３で排ガスと熱交換させて加熱した後、再び煙突８の入口の排ガス混合器７で排ガスと混合させて排ガスの白煙化を防止した廃棄物燃焼排ガス処理方法と装置である。【選択図】図１
2007205689.tif 000002
【特許請求の範囲】
【請求項１】
廃棄物燃焼排ガスを冷却して除塵した後、煙突入口で昇温させて大気中に排出する廃棄物燃焼排ガス処理方法において、
煙突入口で昇温させる前の排ガスの少なくとも一部を分流して、前記排ガス冷却後であって除塵前の排ガスと熱交換させて加熱した後、再び煙突入口の排ガスと混合して昇温させることを特徴とする廃棄物燃焼排ガス処理方法。
【請求項２】
煙突入口における排ガス温度が予め設定された温度以上となるように、前記分流する排ガス量を調節することを特徴とした請求項１記載の廃棄物燃焼排ガス処理方法。
【請求項３】
廃棄物燃焼排ガスを冷却して除塵した後、触媒により排ガス中の有害ガスを除去し、その後、煙突入口で昇温させて大気中に排出する廃棄物燃焼排ガス処理方法において、
煙突入口で昇温させる前の排ガスの少なくとも一部を分流して、前記廃棄物燃焼排ガスの冷却後であって除塵前の排ガスと熱交換させて加熱した後、再び煙突入口の排ガスと混合して昇温させると共に、前記除塵前の排ガスと熱交換させて加熱されて、煙突入口の排ガスと混合する前の排ガスを一部分流させて触媒に接触させることを特徴とする廃棄物燃焼排ガス処理方法。
【請求項４】
煙突入口における排ガス温度が予め設定された温度以上となるように、前記分流する排ガス量を調節すると共に、前記分流された排ガスを前記廃棄物燃焼排ガスの除塵前の排ガスとの熱交換により加熱した後であって煙突入口の排ガスと混合する前に、該分流ガスの一部を触媒入口に供給し、かつその分流ガス量が、触媒入口の排ガス温度が予め設定された温度以上となるように調節することを特徴とした請求項３記載の廃棄物燃焼排ガス処理方法。
【請求項５】
廃棄物燃焼排ガスを冷却して除塵した後、触媒により排ガス中の有害ガスを除去し、その後煙突入口で昇温させて大気中に排出する廃棄物燃焼排ガス処理方法において、
煙突入口排ガスを熱風炉の燃焼ガスにより昇温させ、昇温された排ガスの少なくとも一部を分流して、触媒入口の排ガスと混合することを特徴とする廃棄物燃焼排ガス処理方法。
【請求項６】
煙突入口における排ガス温度が予め設定された温度以上となるように、熱風炉へ供給する燃料流量を調節すると共に、触媒入口の排ガス温度が予め設定された温度以上となるように触媒に接触させる分流排ガス量を調節することを特徴とした請求項５記載の廃棄物燃焼排ガス処理方法。
【請求項７】
廃棄物燃焼排ガスを冷却するガス冷却器と集じん器を排ガス流路の上流側からから下流側に向けて順に設けた廃棄物焼却排ガス処理装置において、
排ガス冷却器と集じん器の間の排ガス流路に熱交換器を設け、
集じん器と煙突との間の排ガス流路に排ガス混合器を設け、
排ガス混合器入口の排ガス流路から少なくとも一部の排ガスを分流して前記熱交換器で廃棄物燃焼排ガスと熱交換させた後、排ガス混合器に導入させる分流排ガス流路を設けた
ことを特徴とする廃棄物焼却排ガス処理装置。
【請求項８】
排ガス混合器と煙突入口との間の排ガス流路に排ガス温度の検出制御器を設け、
分流排ガス流路に前記排ガス温度検出制御器により検出された排ガス温度が予め設定された温度以上となるように前記温度検出制御器で制御される排ガス量調節手段を設けた
ことを特徴とした請求項７記載の廃棄物燃焼排ガス処理装置。
【請求項９】
廃棄物燃焼排ガスを冷却するガス冷却器と排ガス中の有害ガスを除去する触媒装置を排ガス流路の上流側から下流側に向けて順に設けた廃棄物焼却排ガス処理装置において、
排ガス冷却器と集じん器の間の排ガス流路に熱交換器を設け、
集じん器と煙突との間の排ガス流路に排ガス混合器を設け、
排ガス混合器上流側の排ガス流路から少なくとも一部の排ガスを分流して前記熱交換器で廃棄物燃焼排ガスと熱交換させた後、排ガス混合器に導入させる分流排ガス流路を設け、
前記熱交換器で加熱された分流排ガスを該分流排ガス流路から分流させて触媒装置入口の排ガス流路に接続する分流排ガスの導入流路を設けた
ことを特徴とする廃棄物焼却排ガス処理装置。
【請求項１０】
排ガス混合器と煙突入口との間の排ガス流路及び触媒装置入口の排ガス流路にそれぞれ排ガス温度検出制御器を設け、
分流排ガス流路及び分流排ガスの導入流路には、前記温度検出制御器により検出された分流排ガス流路及び分流排ガスの導入流路内の各排ガス温度が予め設定された温度以上となるように前記各温度検出制御器で制御される排ガス量調節手段をそれぞれ設けた
ことを特徴とした請求項９記載の廃棄物燃焼排ガス処理装置。
【請求項１１】
廃棄物燃焼排ガスを冷却するガス冷却器と集じん器と排ガス中の有害ガスを除去する触媒装置を排ガス流路の上流側から下流側に向けて順に設け、その後煙突入口で昇温させて大気中に排出する廃棄物焼却排ガス処理装置において、
煙突入口排ガスを燃焼ガスにより昇温させる熱風炉と、
該熱風炉の燃焼ガスで昇温された排ガスが流れる排ガス流路から少なくとも一部の排ガスを分流して触媒装置に導入させる分流排ガス流路を設けたことを特徴とする廃棄物焼却排ガス処理装置。
【請求項１２】
熱風炉出口の排ガス流路及び触媒装置入口の排ガス流路にそれぞれ排ガス温度検出制御器を設け、
熱風炉と煙突入口との間の排ガス流路及び触媒装置に導入させる分流排ガス流路には、前記各温度検出制御器により検出された排ガス流路及び分流排ガス流路内の各排ガス温度が予め設定された温度以上となるように各温度検出制御器で制御される排ガス量を調節する排ガス量調節手段をそれぞれ設けた
ことを特徴とした請求項１１記載の廃棄物燃焼排ガス処理装置。
【発明の詳細な説明】
【技術分野】
【０００１】
本発明は、廃棄物焼却炉からの排ガスが煙突より排出される前に排ガス中に設置される排ガス加熱器を用いて効率良く、白煙の発生を防止出来る廃棄物燃焼排ガス処理方法と装置に関する。
【背景技術】
【０００２】
廃棄物焼却炉などから排出される排ガスには、焼却物から持ち込まれる水分、燃焼により発生する水分と、排ガスを冷却する噴霧水による水分が含まれており、化石燃料などを用いる燃焼炉に較べて水分を多く含む。この水分を多く含む排ガスを大気に放出する場合、大気中の水分が温度により白煙が発生する事を防止するために、従来は図４に示す構成を用いていた。
【０００３】
廃棄物は焼却炉１で焼却された後、排出される高温の排ガスはガス冷却塔２により冷却され、後述する排ガス混合器７で使用する空気をガス式空気予熱器３０で予熱するために排ガスが利用される。該ガス式空気予熱器３０で冷却された排ガス中の微粒子は集じん器５で除かれ、誘引通風機６に誘引されて排ガス混合器７に送られる。該排ガス混合器７には前記ガス式空気予熱器３０で予熱された空気が導入されるので、排ガス温度が上昇し煙突８から白煙とならない状態で排出される。
【０００４】
なお、ガス式空気予熱器３０に導入する空気は吸込サイレンサー３３で吸引された大気が排ガス循環ファン９により空気導入管３１を経由して供給される。このときガス式空気予熱器３０の出口排ガス温度を温度検出制御器３４で検出してダンパ３５により吸引する空気量を制御する。
【０００５】
この方式を採用している焼却施設は、殆どが排ガスからの熱回収用としてのボイラを装備していない施設であり、ガス式空気予熱器３０の管の管表面温度は空気温度支配となり、低温腐食雰囲気に曝されている。そのため、数年で管が腐食、損傷し交換もしくは閉止栓取付等で応急処置を施していた。
【０００６】
その対策として、ガス式空気予熱器３０の空気入口側に電気式ヒータを設置して、入口温度を約７０℃程度に上げている例もある。  
また、排ガス中のＮＯｘ濃度の低減やダイオキシン濃度の低減のために触媒反応塔を設置する場合、ボイラ付きの場合は排ガス再加熱器により触媒入口のガス温度を加温し、ボイラ無しの場合は熱風炉により入口温度を加温する必要がある。
【特許文献１】特開平１０−２６３３５号公報
【特許文献２】特開昭５８−１３３８４５号公報
【発明の開示】
【発明が解決しようとする課題】
【０００７】
上記技術ではヒータを備えていないためにガス式空気予熱器３０の入口温度が上げられない場合に管表面温度が酸露点温度以下となる事があり、腐食雰囲気に曝されており、特にプラント停止時が顕著となる。準連続運転施設の場合はプラント停止が毎日あるので腐食雰囲気に曝されることが多い。その結果、低温腐食により管に穴が明き、該管を交換しないと運転出来なくなる問題が有った。
【０００８】
また、その対策として（ガス式空気予熱器３０の空気）入口（側）に電気式ヒータ（一例：ごみ処理６０ｔ／１６ｈｒで約５０ｋＷ必要）を設置する場合は電気代が増え、運転経費及び設備費も上がり不経済である。
【０００９】
更に、触媒反応塔を付属させる場合には、入口温度を規定温度以上に上げるため排ガス再加熱器または熱風炉が設置され、同様に設備費増加となり不経済である。  
この様に設備の追加設置の設置費用、追加された機器の運用のための電気代、薬品代等の使用料増加が要因となり焼却施設の運転維持管理上も問題があった。
【００１０】
本発明の課題は、比較的低コストで大気中に排出する排ガスの白煙化を防止する廃棄物燃焼排ガス処理方法と装置を提供することである。
【課題を解決するための手段】
【００１１】
本発明の上記課題は次の解決手段により解決される。  
請求項１記載の発明は、廃棄物燃焼排ガスを冷却して除塵した後、煙突入口で昇温させて大気中に排出する廃棄物燃焼排ガス処理方法において、煙突入口で昇温させる前の排ガスの少なくとも一部を分流して、前記排ガス冷却後であって除塵前の排ガスと熱交換させて加熱した後、再び煙突入口の排ガスと混合して昇温させる廃棄物燃焼排ガス処理方法である。
【００１２】
請求項２記載の発明は、煙突入口における排ガス温度が予め設定された温度以上となるように、前記分流する排ガス量を調節する請求項１記載の廃棄物燃焼排ガス処理方法である。
【００１３】
請求項３記載の発明は、廃棄物燃焼排ガスを冷却して除塵した後、触媒により排ガス中の有害ガスを除去し、その後、煙突入口で昇温させて大気中に排出する廃棄物燃焼排ガス処理方法において、煙突入口で昇温させる前の排ガスの少なくとも一部を分流して、前記廃棄物燃焼排ガスの冷却後であって除塵前の排ガスと熱交換させて加熱した後、再び煙突入口の排ガスと混合して昇温させると共に、前記除塵前の排ガスと熱交換させて加熱されて、煙突入口の排ガスと混合する前の排ガスを一部分流させて触媒に接触させる廃棄物燃焼排ガス処理方法である。
【００１４】
請求項４記載の発明は、煙突入口における排ガス温度が予め設定された温度以上となるように、前記分流する排ガス量を調節すると共に、前記分流された排ガスを前記廃棄物燃焼排ガスの除塵前の排ガスとの熱交換により加熱した後であって煙突入口の排ガスと混合する前に、該分流ガスの一部を触媒入口に供給し、かつその分流ガス量が、触媒入口の排ガス温度が予め設定された温度以上となるように調節する請求項３記載の廃棄物燃焼排ガス処理方法である。
【００１５】
請求項５記載の発明は、廃棄物燃焼排ガスを冷却して除塵した後、触媒により排ガス中の有害ガスを除去し、その後煙突入口で昇温させて大気中に排出する廃棄物燃焼排ガス処理方法において、煙突入口排ガスを熱風炉の燃焼ガスにより昇温させ、昇温された排ガスの少なくとも一部を分流して、触媒入口の排ガスと混合する廃棄物燃焼排ガス処理方法である。
【００１６】
請求項６記載の発明は、煙突入口における排ガス温度が予め設定された温度以上となるように、熱風炉へ供給する燃料流量を調節すると共に、触媒入口の排ガス温度が予め設定された温度以上となるように触媒に接触させる分流排ガス量を調節する請求項５記載の廃棄物燃焼排ガス処理方法である。
【００１７】
請求項７記載の発明は、廃棄物燃焼排ガスを冷却するガス冷却器と集じん器を排ガス流路の上流側からから下流側に向けて順に設けた廃棄物焼却排ガス処理装置において、排ガス冷却器と集じん器の間の排ガス流路に熱交換器を設け、集じん器と煙突との間の排ガス流路に排ガス混合器を設け、排ガス混合器入口の排ガス流路から少なくとも一部の排ガスを分流して前記熱交換器で廃棄物燃焼排ガスと熱交換させた後、排ガス混合器に導入させる分流排ガス流路を設けた廃棄物焼却排ガス処理装置である。
【００１８】
請求項８記載の発明は、排ガス混合器と煙突入口との間の排ガス流路に排ガス温度の検出制御器を設け、分流排ガス流路に前記排ガス温度検出制御器により検出された排ガス温度が予め設定された温度以上となるように前記温度検出制御器で制御される排ガス量調節手段を設けた請求項７記載の廃棄物燃焼排ガス処理装置である。
【００１９】
請求項９記載の発明は、廃棄物燃焼排ガスを冷却するガス冷却器と排ガス中の有害ガスを除去する触媒装置を排ガス流路の上流側から下流側に向けて順に設けた廃棄物焼却排ガス処理装置において、排ガス冷却器と集じん器の間の排ガス流路に熱交換器を設け、集じん器と煙突との間の排ガス流路に排ガス混合器を設け、排ガス混合器上流側の排ガス流路から少なくとも一部の排ガスを分流して前記熱交換器で廃棄物燃焼排ガスと熱交換させた後、排ガス混合器に導入させる分流排ガス流路を設け、前記熱交換器で加熱された分流排ガスを該分流排ガス流路から分流させて触媒装置入口の排ガス流路に接続する分流排ガスの導入流路を設けた廃棄物焼却排ガス処理装置である。
【００２０】
請求項１０記載の発明は、排ガス混合器と煙突入口との間の排ガス流路及び触媒装置入口の排ガス流路にそれぞれ排ガス温度検出制御器を設け、分流排ガス流路及び分流排ガスの導入流路には、前記温度検出制御器により検出された分流排ガス流路及び分流排ガスの導入流路内の各排ガス温度が予め設定された温度以上となるように前記各温度検出制御器で制御される排ガス量調節手段をそれぞれ設けた請求項９記載の廃棄物燃焼排ガス処理装置である。
【００２１】
請求項１１記載の発明は、廃棄物燃焼排ガスを冷却するガス冷却器と集じん器と排ガス中の有害ガスを除去する触媒装置を排ガス流路の上流側から下流側に向けて順に設け、その後煙突入口で昇温させて大気中に排出する廃棄物焼却排ガス処理装置において、煙突入口排ガスを燃焼ガスにより昇温させる熱風炉と、該熱風炉の燃焼ガスで昇温された排ガスが流れる排ガス流路から少なくとも一部の排ガスを分流して触媒装置に導入させる分流排ガス流路を設けた廃棄物焼却排ガス処理装置である。
【００２２】
請求項１２記載の発明は、熱風炉出口の排ガス流路及び触媒装置入口の排ガス流路にそれぞれ排ガス温度検出制御器を設け、熱風炉と煙突入口との間の排ガス流路及び触媒装置に導入させる分流排ガス流路には、前記各温度検出制御器により検出された排ガス流路及び分流排ガス流路内の各排ガス温度が予め設定された温度以上となるように各温度検出制御器で制御される排ガス量を調節する排ガス量調節手段をそれぞれ設けた請求項１１記載の廃棄物燃焼排ガス処理装置である。
【００２３】
（作用）
請求項１〜４，７〜１０記載の発明によれば、排ガス加熱器に入る排ガス温度は除塵後の排ガスであるため、酸露点の低温腐蝕域を外れた温度である約１６０℃程度になる。その約１６０℃の排ガスが熱交換器で燃焼排ガスにより加熱された分流ガスと排ガス混合器で混合されて昇温され、煙突入口ガス温度を約３００℃程度に昇温させる事により白煙防止が可能となる。また、熱交換器で廃棄物燃焼排ガスを冷却することができるので、廃棄物燃焼排ガスを冷却するガス冷却塔出口の排ガス温度を白煙防止手段を設けない従来の場合のガス温度より高く６００℃程度（前記従来技術の場合は３５０〜４００℃程度）となるように設定することができるため、ガス冷却塔内での水噴霧量が減少し、排ガス中の水分が少なくなり、白煙防止のための温度を減少させる事ができる。
【００２４】
請求項５，６，１１，１２記載の発明によれば、廃棄物燃焼排ガス中に含まれる水分が多い場合は、当該排ガスの稀釈と昇温を兼ねて熱風炉を設置する方法が用いられている。一例として、大気条件を温度５℃、湿度５０％として、ガス化溶融炉の場合の排ガス中水分は４０％程度となるが、その条件での白煙防止の限界点温度は約５００℃と高くなるため、その白煙防止の限界点温度を３００℃程度に低下させるためには、排ガス中の水分を２７％以下に稀釈する必要がある。その場合、排ガス量を約５０％程度増やす必要があるが、熱風炉を用いることで、排ガス量の増加とガス温度の高温化の両方の効果により簡単に実現可能である。
【発明の効果】
【００２５】
請求項１，７記載の発明によれば、白煙防止のための稀釈空気を排ガスにて昇温させる際、冷空気による低温腐食雰囲気に曝される欠点のある従来技術の課題をクリアし、更に排ガスを再循環加温し、煙突入口に戻す事により排ガス量も増やす事なく、比較的低コストで大気中に排出する排ガスの白煙防止を達成出来る。
【００２６】
請求項２，８記載の発明によれば、請求項１，７記載の発明の効果に加えて、煙突入口における排ガス温度が予め設定された温度以上となるように、分流する排ガス量を調節して適切な量とするので、無駄のない廃棄物燃焼排ガス処理が可能となる。
【００２７】
請求項３，９記載の発明によれば、触媒反応器内の触媒活性に必要な温度になるように排ガスの昇温を排ガスの再循環により行うことができ、また触媒反応器の出口ガスが比較的高温となるので排ガス混合器の入口温度も高くなり、煙突入口の排ガス温度を規定温度に上げるガス量が少なくて済む。
【００２８】
請求項４，１０記載の発明によれば、請求項３，９記載の発明の効果に加えて、触媒反応器内の触媒活性に必要な温度になるように、分流する排ガス量を調節するので、分流する排ガス量を適切な量にして無駄のない廃棄物燃焼排ガス処理が可能となる。
【００２９】
請求項５，１１記載の発明によれば、熱風炉設置により、排ガス中の水分の稀釈と昇温を同時に達成でき、更に触媒反応塔へ熱風炉からの燃焼ガスにより昇温された排ガスを循環させることができ、触媒活性化も図れる効果がある。
【００３０】
請求項６，１２記載の発明によれば、請求項５，１１記載の発明の効果に加えて、触媒反応器内の触媒活性に必要な温度になるように、熱風炉から触媒反応器内へ供給する燃焼ガス量を調節するので、無駄のない廃棄物燃焼排ガス処理が可能となる。
【発明を実施するための最良の形態】
【００３１】
この発明の実施例を図面と共に説明する。  
本発明の第一実施例の構成は図１に示す。図１に示すように、廃棄物は焼却炉１で焼却された後、焼却炉１から排出される高温の燃焼排ガスはガス冷却塔２により冷却され、排ガス加熱器（熱交換器）３に送られる。次に後述する排ガス導入管１１を経由して排ガス加熱器３に導入される比較的低温の排ガスと熱交換されるので適切な温度に昇温される。その排ガスは更に、後流側に設置される集じん器５で処理可能な温度になるまで減温塔４により減温され、該減温された排ガスは集じん器５で処理された後、排ガスは誘引通風機６により誘引され、煙突８へと排出される。
【００３２】
しかし、誘引通風機６により誘引された排ガスの一部は、煙突８へ排出される前に排ガス導入管１１に導入されて排ガス加熱器３に循環される。排ガス導入管１１には排ガス循環ファン９と排ガス流量調節ダンパ１３が設けられているので、規定流量の排ガスが排ガス加熱器３に送られる。
【００３３】
排ガス導入管１１から排ガス加熱器３に供給された排ガスは、排ガス加熱器３で再加熱された後、排ガス出口管１２から誘引通風機６と煙突８の間の排ガス路に設けられた排ガス混合器７に供給される。このとき、排ガス混合器７で混合された後の排ガスが混合機７の出口で約３００℃程度の温度とになる様に排ガス加熱器３で再加熱されて排ガス混合器７に供給される。該排ガス混合器７で混合された後の排ガス温度が白煙防止に必要な温度になっているか否か、温度検出制御器１４により監視し、規定温度にした後になって始めて煙突８より排出される。
【００３４】
誘引通風機６の出口排ガスの温度は約１６０℃程度であるので、それをガス冷却塔２の出口排ガスで再加熱する場合、排ガス加熱器３の入口温度は酸露点以上の温度となるため、対向流型の高効率熱交換器が使用出来る。また、排ガスの一部を排ガス導入管１１により再循環加熱して煙突入口温度を昇温させるので、新たなガスをボイラ排ガス系に導入しないため、排ガス量の増加がなく、従来通りの白煙防止対策をしていない煙突８をそのまま使用できる。このようにガス中の水分の稀釈を行って白煙防止対策を施す方式である煙突８から排出するガス量が約２倍となる白煙防止方法に較べて経済的に有利である。
【００３５】
また、ガス冷却塔２出口のガス温度を、白煙防止手段を設けない従来の場合のガス温度より高く６００℃程度（前記従来の場合は３５０〜４００℃）となるように設定するため、ガス冷却塔２内での水噴霧量が減少し、排ガス中の水分が少なくなり、白煙防止のための温度を減少させる事ができる。
【００３６】
本発明の第二実施例の構成を図２に示す。この実施例は、図１に示す実施例の集じん器５と誘引通風機６の間の排ガス路に排ガス中の有害物質除去用の触媒反応器１５を配置したことに特徴がある構成である。
【００３７】
触媒反応器１５の触媒は、脱硝とダイオキシン分解を兼た触媒が望ましく、それには特に制限がないが、バナジウム酸化物、バナジウム酸化物とモリブデン酸化物の混合物または複合酸化物を活性成分として担体に担持した触媒が好適である。
【００３８】
前記触媒反応塔１５を排ガス流路に設置する場合には、触媒反応塔１５の入口温度を触媒活性を促す約２１０℃程度にする必要がある。そのために排ガス出口管１２に設けた分岐管１６から排ガス加熱器３で加熱された排ガスを、触媒反応塔１５の入口側の排ガス温度を温度検出制御器１８により検知しながら供給する。このとき触媒反応塔１５への入口温度を入口側の排ガス温度を温度検出制御器１８により検知しながら、分岐管１６に設けた流量調節ダンパ１７により排ガス流量を調整して入口温度を規定温度にまで昇温させる。
【００３９】
本発明の第三の実施例を図３に示す。図３に示す構成は第二実施例で使用した排ガス加熱器３の代わりに熱風炉２０を用いた例であり、この構成は、廃棄物燃焼排ガス中に含まれる水分が多い場合に適用することが望ましく、当該排ガスの稀釈と昇温を兼ねて熱風炉を設置する。
【００４０】
図３に示すように、本実施例では誘引通風機６の出口排ガスを熱風炉２０の出口高温ガスの稀釈ガスとして使用し、白煙防止に必要な煙突８の入口ガス温度は熱風炉２０へ供給する焼却炉バーナから供給される油量を油量調節弁２２で調節する。また、熱風炉２０で使用する空気は焼却炉バーナ用ファン２１により供給される。
【００４１】
たとえば、大気条件を温度５℃、湿度５０％として、ガス化溶融炉から排出する排ガス中水分は４０％程度となるが、その条件での白煙防止の限界点温度は約５００℃と高くなるため、その白煙防止の限界点温度を３００℃程度に低下させるためには、排ガス中の水分を２７％以下に稀釈する必要がある。その場合、排ガス量を約５０％程度増やす必要があるが、熱風炉２０を用いることで、排ガス量の増加とガス温度の高温化の両方の効果により簡単に実現可能である。
【００４２】
図３に示す構成では、煙突８へ供給するガス量を増加させる事になるので、ガス中の水分が稀釈され、白煙防止に必要な温度を低くすることが出来る。更に熱風炉２０の出口排ガスを触媒反応塔１５の入口側に循環させて触媒活性に必要な温度に容易に維持する事も出来る。
【産業上の利用可能性】
【００４３】
本発明は低温腐食のリスク無しに、更にガス量を増やす事無く、経済的に排ガスの白煙防止を達成可能であり、有用な装置として産業上の利用可能性がある。
【図面の簡単な説明】
【００４４】
【図１】本発明の一実施例の構成図である。
【図２】本発明の一実施例の構成図である。
【図３】本発明の一実施例の構成図である。
【図４】従来技術の構成図である。
【符号の説明】
【００４５】
１  焼却炉                    ２  ガス冷却塔
３  排ガス加熱器（熱交換器）  ４  減温塔
５  集じん器                  ６  誘引通風機
７  排ガス混合器              ８  煙突
９  排ガス循環ファン          １１  排ガス導入管
１２  排ガス出口管            １３  排ガス流量調節ダンパ
１４  温度検出制御器          １５  触媒反応器
１６  分岐管                  １７  流量調節ダンパ
１８  温度検出制御器          ２０  熱風炉
２１  焼却炉バーナ用ファン    ２２  油量調節弁
３０  ガス式空気予熱器        ３１  空気導入管
３３  吸引サイレンサー        ３４  温度検出制御器
３５  ダンパ
【図１】
2007205689.tif 000003
【図２】
2007205689.tif 000004
【図３】
2007205689.tif 000005
【図４】
2007205689.tif 000006